(57)【要約】【課題】共同住宅における自動火災報知設備およびインターホン設備を複合させた警報監視システムにおいて、システムの制御結果の利用を簡便とする。【解決手段】少なくとも複合盤と複数の住宅情報盤とを有する共同住宅警報監視システムにおいて、前記複合盤は、システム全体の状態を監視制御する制御手段と、該制御手段の制御結果を記憶する記憶手段と、を備えているので、不具合の調査時などに中心となる機器がわかりやすく、システムの制御結果の利用を簡便とすることが可能である。【選択図】  図１
2004171384.tif 000002
【特許請求の範囲】
【請求項１】
少なくとも複合盤と複数の住宅情報盤とを有する共同住宅警報監視システムにおいて、
前記複合盤は、システム全体の状態を監視制御する制御手段と、該制御手段の制御結果を記憶する記憶手段と、を備えていることを特徴とする共同住宅警報監視システム。
【請求項２】
複合盤は、記憶手段に記憶された制御結果を、データとして出力する出力手段、盤面の画面に表示する表示手段および印刷出力する印刷手段のいずれか１以上を備えている請求項１の共同住宅警報監視システム。
【請求項３】
制御手段の制御結果は、セキュリティ監視機能に関する信号の送受信と、複合盤での操作入力とを含む請求項１または２の共同住宅警報監視システム。
【請求項４】
記憶手段には、共同住宅警報監視システムの設備情報および運用設定に関する情報がさらに記憶されている請求項１ないし３いずれかの共同住宅警報監視システム。
【発明の詳細な説明】
【０００１】
【産業上の利用分野】
本発明は、共同住宅における自動火災報知設備およびインターホン設備を複合させた警報監視システムに関する。
【０００２】
【従来の技術】
共同住宅では、各住戸と管理室とに住戸機（住宅情報盤）および管理室機からなるインターホン設備が設けられ、各住戸の居住者と管理員との間でインターホンを通じて連絡が取れるようになっている。
【０００３】
このようなシステムでは、通話制御装置によって各住戸機および管理室機等と伝送信号の送受信を行って全体を監視制御していた（例えば、特許文献１を参照）。
【０００４】
【特許文献１】
特開２０００−６９１８１号公報
【０００５】
【発明が解決しようとする課題】
上記のようなインターホン設備では、居住者や管理員等が通常利用する機器が住戸機や管理室機であるのに、データの設定や確認には、通話制御装置に触れる必要があり、不具合発生時などに調査対象となる機器がわかりにくいという不具合があった。
【０００６】
したがって、共同住宅における自動火災報知設備およびインターホン設備を複合させた警報監視システムにおいて、システムの制御結果の利用を簡便とすることを目的とする。
【０００７】
【課題を解決するための手段】
本発明は、少なくとも複合盤と複数の住宅情報盤とを有する共同住宅警報監視システムにおいて、前記複合盤は、システム全体の状態を監視制御する制御手段と、該制御手段の制御結果を記憶する記憶手段と、を備えていることを特徴とするものである。
【０００８】
そして、複合盤は、記憶手段に記憶された制御結果を、データとして出力する出力手段、盤面の画面に表示する表示手段および印刷出力する印刷手段のいずれか１以上を備えており、また、制御手段の制御結果は、セキュリティ監視機能に関する信号の送受信と、盤面での操作入力とを含んでいるものである。
【０００９】
さらに、記憶手段には、共同住宅警報監視システムの設備情報および運用設定に関する情報が記憶されているものである。
【００１０】
【発明の実施の形態】
以下、本発明を利用する実施の形態について図面を用いて説明する。図１は本発明を利用する共同住宅用警報監視複合システムのシステム系統図、図２および図３は図１に用いられる複合盤、住宅情報盤および集合玄関機についてのブロック構成図である。
【００１１】
図１において、１０は複合盤、２０は集合玄関機、３０は住宅情報盤、５０はドアホン、６１は熱式や煙式等の火災感知器、６２はガス漏れ検知器、６３は防犯スイッチ、６４は非常呼出スイッチ、６５は共用部に設けられる火災感知器、６６は共用部に設けられる防排煙機器等の制御装置、７０は映像アダプタ、Ｌ１は伝送線、Ｌ２は通話線、Ｌ３は映像線、Ｌ４はドアホン５０への通話線、Ｌ５はドアホン５０への制御線、Ｌ６１、Ｌ６２、Ｌ６３、Ｌ６４、Ｌ６５およびＬ６６はそれぞれ信号線である。
【００１２】
複合盤１０は、インターホン設備の通話制御装置としての通話制御機能と、テレビモニタシステムを提供するためのモニタ制御機能と、自動火災報知設備の火災受信機としてのセキュリティ監視機能とを有し、共同住宅の管理室等に設置される。
【００１３】
集合玄関機２０は、共同住宅への訪問者が操作して各住戸を呼出すための装置であって、共同住宅の集合玄関等に設置される。
【００１４】
住宅情報盤３０は、セキュリティ監視機能に必要な、火災感知器６１、ガス漏れ検知器６２、防犯スイッチ６３、非常呼出スイッチ６４等がそれぞれ信号線Ｌ６１、Ｌ６２、Ｌ６３およびＬ６４を介して接続されて各住戸に設置されるとともに、各住宅情報盤３０は伝送線Ｌ１、通話線Ｌ２および映像線Ｌ３を介して複合盤１０に接続されている。
【００１５】
ドアホン５０は、通話線Ｌ４および制御線Ｌ５を介して住宅情報盤３０に接続されて、各住戸の玄関等に設置される。
【００１６】
火災感知器６５は、集合玄関、ホール、廊下、機械室、集会室等の共同住宅の共用部に設けられるものであり、また、制御装置６６は、地区ベル装置、防排煙装置、消火装置等の火災発生時に制御される被制御機器であり、火災感知器６５同様に共同住宅の共用部に設けられるものである。
【００１７】
映像アダプタ７０は、映像線Ｌ３へ接続および切離しを制御するために各住宅情報盤３０に対応する各位置に設置されている。
【００１８】
このような構成によって実現される各種機能について簡単に説明すると、通話制御機能において、複合盤１０が集合玄関機２０から例えば８０１号室の呼出信号を受信すると、複合盤１０は、伝送線Ｌ１を介して呼出信号を８０１号室の住宅情報盤３０に送信し、８０１号室の住宅情報盤３０から応答信号を受信して、集合玄関機２０および８０１号室の住宅情報盤３０に接続信号を送信して、通話線Ｌ２に集合玄関機２０および８０１号室の住宅情報盤３０がそれぞれ接続して、通話線Ｌ２を介して通話路を形成する。
【００１９】
また、モニタ制御機能において、上記通話制御機能の動作を利用し、接続信号を受信した例えば８０１号室の住宅情報盤３０は、映像アダプタ７０を介して映像線Ｌ３に接続して、集合玄関機２０から送信される映像信号を映像線Ｌ３から受信する信号経路を形成する。
【００２０】
また、セキュリティ監視機能について、ガス漏れ検知器６２、防犯スイッチ６３、非常呼出スイッチ６４等の動作に基づくセキュリティ信号を住宅情報盤３０から複合盤１０が受信すると、送信した住宅情報盤３０が設置されている住戸の住戸番号やセキュリティ信号の種別等を表示および警報する。
【００２１】
同様に、セキュリティ監視機能の一部として火災警報制御機能を備え、火災感知器６１の作動に基づき住宅情報盤３０から火災信号を複合盤１０が受信すると、送信した住宅情報盤３０が設置されている住戸番号および火災の旨の表示および警報を行うとともに、複合盤１０から住戸番号を特定した警報信号を送出し、火災発生階とその直上階の住戸に設置されている住宅情報盤３０が警報信号の住戸番号から判別して火災警報を発する。
【００２２】
つぎに、複合盤１０において、１１は監視制御部、１２は表示部、１３は操作部、１４は通話回路、１５は送受話器、１６はスピーカ、１７は映像制御部、１８はテレビモニタ、１９は受信制御部、Ｄは設定部、Ｍは記憶部、Ｔは接続端子である。
【００２３】
監視制御部１１は、ＣＰＵやメモリを有し、インターホン設備と自動火災報知設備とにおける伝送制御、通話監視制御、セキュリティ監視制御、火災監視警報制御、遠隔試験制御等を行う。
【００２４】
表示部１２は、インターホン設備と自動火災報知設備とに関係する各種表示灯と、ＬＣＤ等の表示器とを有し、監視制御部１１の制御によって各種表示を行う。
【００２５】
操作部１３は、インターホン設備と自動火災報知設備とに用いられるテンキー等の各種操作スイッチを有する。
【００２６】
通話回路１４は、複合盤１０が設けられる管理室等から管理員がインターホン通話を行うものであり、送受話器１５を有する。
【００２７】
映像制御部１７は、集合玄関機２０からの映像線Ｌ３を介して、映像信号を受信し、各住宅情報盤３０への映像線Ｌ３へその映像信号を送出する接続制御を行うとともに、集合玄関機２０のカメラ機能に基づき受信した映像信号を複合盤１０盤面のテレビモニタ１８に映出できるようになっている。
【００２８】
設定部Ｄは、複合盤１０を中心とする共同住宅監視警報システム全体の機器の設置状態である端末データと、システム全体を運営するための条件設定についての設定データが格納されるものであり、フラッシュメモリ等の書換え可能な不揮発性の記憶手段によるものである。
【００２９】
記憶部Ｍは、セキュリティ監視機能に関する信号の送受信や複合盤１０の操作部１３からの操作入力とを含めて、監視制御部１１の制御結果の情報としてのイベントデータが格納されるものであり、上記設定部Ｍと同様のフラッシュメモリ等の書換え可能な不揮発性の記憶手段によるものである。なお、設定部Ｄおよび記憶部Ｍは、同一の記憶手段を領域設定で区切り使用してもよい。
【００３０】
接続端子Ｔは、いわゆるＲＳ２３２Ｃ端子であって、図示しないが、ケーブルを介してパソコン（パーソナルコンピュータ）が接続され、監視制御部１１とデータ転送を行うことができる。このとき、図示しないパソコンによって、設定部Ｄおよび記憶部Ｍ内の情報を読込むことができるとともに、書込みや消去等も可能であり、設定部Ｄの設定データを書き換えることも可能である。
【００３１】
また、住宅情報盤３０において、３１は警報受信回路、３３は警報音響回路、３４は通話回路、３５は送受話器、３６は表示部、３７は操作部、３９は制御部、４０はスピーカ、４１は映像回路、４２はテレビモニタ、４３は映像切換制御回路、４４は通話切換回路である。
【００３２】
警報受信回路３１は、火災感知器６１、ガス漏れ検知器６２、防犯スイッチ６３、非常呼出スイッチ６４等が接続されて、それらからの信号入力を監視している。
【００３３】
警報音響回路３３は、各種の警報内容等の音響および音声データを記憶した図示しないメモリ、音声合成回路およびアンプ等を有するものである。
【００３４】
通話回路３４は、住戸内から居住者がインターホン通話を行うものであり、送受話器３５を備えるとともに、通話切換回路４４を介して通話線Ｌ２またはＬ４に接続が行われる。
【００３５】
操作部３７は、詳細に示さないが、管理室（複合盤１０）を呼び出す呼出スイッチや集合玄関ドア解錠スイッチ等の各種スイッチを有する。
【００３６】
制御部３９は、詳細に示さないが、ＣＰＵやメモリを有し、伝送線Ｌ１を介して複合盤１０との間で各種伝送制御を行い、住宅情報盤３０全体の監視制御を行う。
【００３７】
映像回路４１は、映像線Ｌ３に送出される映像信号をテレビモニタ４２に映出するものであり、住居内の居住者が集合玄関等に来訪した来客の顔や姿等を確認する。そして、映像回路４１の映像線Ｌ３への接続は、映像線Ｌ３の所定位置にそれぞれ設けられている映像アダプタ７０への切換制御を行う映像切換制御回路４３からの切換出力による。
【００３８】
また、図２のドアホン５０において、５１は呼出スイッチ、５２はマイク、５３はスピーカ、５４は通電表示灯である。
【００３９】
つぎに、上記構成による実施の形態の動作について、説明する。
【００４０】
図４は、図１における複合盤１０に関する動作を概略的に示したフローチャートであり、また、図５は、図１における住宅情報盤に関する動作を概略的に示したフローチャートである。
【００４１】
このシステムの基本的動作として、集合玄関機２０と各住宅情報盤３０との間、複合盤１０と各住宅情報盤３０との間、および、集合玄関機２０と複合盤１０との間における通話制御が行われる。以下、そのうちで、集合玄関機２０からいずれかの住宅情報盤３０を呼出して通話する場合として説明する。
【００４２】
例えば、３０１号室を訪問する来客が集合玄関に設けられている集合玄関機２０の図示しないテンキーによって「３０１」を入力し、図示しない呼出スイッチを操作すると、集合玄関機２０は、３０１号室の集合玄関機２０からの呼出しに関する呼出信号が伝送線Ｌ１を介して複合盤１０に送信される。また、集合玄関機２０は、カメラ機能としての図示しないテレビカメラをオンして来客の撮影を開始し、その映像を映像信号として、映像線Ｌ３を介して複合盤に送出する。
【００４３】
複合盤１０の監視制御部１１は、呼出信号を受信すると（Ｓ１２）、集合玄関機２０から３０１号室を呼出すことを判別し、３０１号室のアドレスを付加して伝送線Ｌ１に通話制御信号を送信し、また、映像制御部１７を起動させて集合玄関機２０から受信した映像信号を映像線Ｌ３に送出する（Ｓ１３）。
【００４４】
上記通話制御信号を受信した３０１号室の住宅情報盤３０の制御部３９は、受信した通話制御信号から自己への呼出しであることを判別して（Ｓ３２）、スピーカ４０から呼出音を発生し、また、表示部３６に集合玄関からの呼出しを示し、映像回路４１を起動して映像切換制御回路４３を介して映像アダプタ７０へ切換出力を行う。
【００４５】
この切換出力による映像アダプタ７０の切換接続により、映像回路４１は映像線Ｌ３に接続されて、集合玄関機２０の図示しないテレビカメラが撮影した映像信号を受信して、テレビモニタ４２へ表示する（Ｓ３３）。
【００４６】
そして、３０１号室の居住者がテレビモニタ４２に映出された映像から来客の顔等を確認しながら、送受話器３５が持ち上げられると、制御部３９は、自己アドレスを付加した伝送信号としてオフフック信号を、伝送線Ｌ１を介して複合盤１０に送信し、また、通話切換回路４４に切換出力を行い、通話回路３４を通話線Ｌ２に接続させる（Ｓ３３）。
【００４７】
伝送信号としてオフフック信号を受信した複合盤１０の監視制御部１１は、集合玄関機２０に上記と同様の通話制御信号を送信し（Ｓ１３）、集合玄関機２０の図示しない通話回路をオンさせる。これによって、集合玄関機２０の前に存在する来客と、３０１号室の居住者との間でインターホン通話が行われる。
【００４８】
通話が終わり、居住者が送受話器３５を戻してオンフック状態となると、３０１号室の住宅情報盤３０の制御部３９は、自己アドレスを付加した伝送信号としてオンフック信号を、伝送線Ｌ１を介して複合盤１０に送信し、また、通話切換回路４４への切換出力を停止して通話回路３４を通話線Ｌ２から切離し、同様に、映像切換制御回路４３を介して映像アダプタ７０への切換出力を停止して、映像回路４１を映像線Ｌ３から切離し、それぞれ元の状態へ復帰する（Ｓ３３）。
【００４９】
伝送信号としてオンフック信号を受信した複合盤１０の監視制御部１１は、集合玄関機２０に通話終了信号を送信し（Ｓ１３）、集合玄関機２０は、図示しない通話回路、映像回路、テレビカメラ等をオフして元の状態に復帰する。
【００５０】
このようなインターホン通話機能の結果について、複合盤１０の監視制御部１１はイベントデータとして記憶部Ｍに記憶しない。これは、日常的なインターホン通話の使用結果をイベントデータとして残してもそれほど有意義でなく、逆に、装置としての記憶部Ｍの容量を無駄に占有して、異常状態に関する情報の格納領域を狭くしてしまうためである。
【００５１】
なお、その他の場合のインターホン通話も、上記と同様の通話制御およびモニタ制御がなされる。
【００５２】
次に、この実施の形態におけるセキュリティ監視処理として、非常呼出スイッチ６４が操作された場合について説明する。
【００５３】
例えば、４０１号室で非常呼出スイッチ６４が作動すると、４０１号室の住宅情報盤３０において、警報受信回路３１が非常呼出スイッチ６４の作動信号を検出して制御部３９に入力させ（Ｓ３１）、制御部３９は、自己のアドレスを付加した伝送信号としての非常呼出信号を、伝送線Ｌ１を介して複合盤１０に送信する（Ｓ３９）。
【００５４】
この非常呼出信号を受信した複合盤１０の監視制御部１１は、伝送線Ｌ１を介して受信した伝送信号から、４０１号室からの非常呼出信号であることを判別し（Ｓ１４）、表示部１２の図示しない非常呼出の表示灯を点灯させ、また、４０１号室から非常呼出があったことを図示しないＬＣＤに文字表示し、さらに、スピーカ１６から警報音および非常呼出の旨の音声警報を出力する（Ｓ１５）。
【００５５】
このとき、監視制御部１１は、上記動作とともに、４０１号室からの非常呼出信号の受信を、その受信時刻とともに記憶部Ｍにイベントデータとして記憶する。
【００５６】
この非常呼出の旨を複合盤１０から認識した集合住宅の管理員は、インターホン機能で４０１号室を呼び出して通話によって確認するか、４０１号室に出向くか、非常事態の有無確認および必要な対処を行う。
【００５７】
このとき、監視制御部１１は、管理員による操作部１３からの操作入力について、例えば、住戸音響停止入力や緊急呼出入力など、部屋番号を指定する場合は部屋番号を併せて、時刻とともに記憶部Ｍにイベントデータとして記憶する。
【００５８】
その後、事態が平常化して複合盤１０の操作部１３への復旧入力により元の状態に戻す。
【００５９】
このとき、監視制御部１１は、復旧入力について時刻とともに記憶部Ｍにイベントデータとして記憶する。
【００６０】
つぎに、火災監視警報処理の動作について、例えば６０１号室で火災が発生した場合について説明する。
【００６１】
６０１号室の火災感知器６１が作動し、火災信号を出力すると、６０１号室の住宅情報盤３０の警報受信回路３１が火災信号を受信して（Ｓ３４）、制御部３９は、表示部３６の必要な表示灯を点灯するとともに、警報音響回路３３の図示しない音声合成回路を制御してスピーカ４０から「この住戸で火災感知器が作動しました」のような音声警報を発する（Ｓ３５）。
【００６２】
この住宅情報盤３０からの音声警報によって、６０１号室の居住者が住戸内を確認して、誤報または火災の初期消火ができれば住宅情報盤３０の図示しない復旧スイッチを操作して復旧操作を行えばよいが、初期消火が無理な火災の場合には操作部３７の図示しない火災確定スイッチを操作して火災確定入力を行い、制御部３９は、自己のアドレスを付加した伝送信号としての火災信号を、伝送線Ｌ１を介して複合盤１０へ送信する（Ｓ３５）。なお、６０１号室が不在等の火災確定入力がない場合でも、制御部３９は、警報受信回路３１への火災感知器６１からの火災信号の入力から所定時間（例えば２分等）の経過によって、上記のように伝送信号としての火災信号を送信する。
【００６３】
火災信号を受信した複合盤１０の監視制御部１１は、信号の内容から６０１号室からの火災信号であることを判別して（Ｓ１６）、表示部１２の図示しない火災の表示灯を点灯させるとともに、６０１号室から火災信号があったことを図示しないＬＣＤに文字表示し、さらに、スピーカ１６から警報音および火災の旨の音声警報を出力する（Ｓ１７）。
【００６４】
このとき、監視制御部１１は、上記動作とともに、６０１号室からの火災信号の受信を、その受信時刻とともに記憶部Ｍにイベントデータとして記憶する。
【００６５】
また、複合盤１０の監視制御部１１は、火災の発生した６０１号室と同一階である６階の各住戸の住宅情報盤３０およびその直上階である７階の各住戸の住宅情報盤３０に火災鳴動を行わせるため、フロア単位または個々の住宅情報盤３０をアドレス指定した伝送信号としての警報制御信号を、伝送線Ｌ１を介して送信する（Ｓ１７）。同時に、廊下等の共用部に制御装置６６として地区ベル装置が設けられている場合、信号制御線Ｌ６６を介して６階および７階の制御装置６６に鳴動出力する（Ｓ１７）。
【００６６】
このとき、監視制御部１１は、上記動作とともに、フロア単位または個々の部屋番号を指定した警報制御信号の送信を、その送信時刻とともに記憶部Ｍにイベントデータとして記憶する。
【００６７】
これによって、６０１号室を除く６階および７階の各住戸の住宅情報盤３０において、制御部３９が警報制御してスピーカ４０およびドアホン５０のスピーカ５３から「６０１号室から火災が発生しました」等の火災警報を行う（Ｓ３９）。
【００６８】
その後、消火活動等の結果から事態が平常化して、複合盤１０の操作部１３への詳細に示さない火災復旧操作による復旧入力により元の状態に戻す。
【００６９】
このとき、監視制御部１１は、火災復旧入力について時刻とともに記憶部Ｍにイベントデータとして記憶する。
【００７０】
上記各動作において、必要なセキュリティ監視信号の送受信および複合盤１０の盤面での操作入力について、イベントデータとして時刻とともに記憶部Ｍに順次格納される。つぎに、これらの動作によるイベントデータを参照する動作について説明する。
【００７１】
まず、複合盤１０の表示部１２において、イベントデータの図示しないＬＣＤ表示を行うことができる。
【００７２】
複合盤１０の表示部１２には、図示しないＬＣＤが設けられていて、該ＬＣＤにメニュー等を表示してイベントデータ表示を、詳細に説明しないが、操作部１３の操作によって選択することにより、図示しないＬＣＤにイベントデータを表示させることができる。操作部１３からイベントデータ表示操作を検知した監視制御部１１は、記憶部Ｍのイベントデータを読出して、表示部１２の図示しないＬＣＤへ、最新の情報から遡るように、イベントデータを表示させる。このとき、イベントデータの項目が多くて一度に画面表示できなくても、図示しない上下移動操作によるいわゆるスクロールによって、すべてのイベントデータを見ることができる。
【００７３】
つぎに、複合盤１０に図示しないプリンタによるイベントデータの印字を行うことができる。
【００７４】
表示部１２の図示しないＬＣＤにメニュー等を表示してイベントデータ印字を、詳細に説明しないが、操作部１３の操作によって選択することにより、図示しないにイベントデータを印字出力させることができる。操作部１３からイベントデータ印字操作を検知した監視制御部１１は、記憶部Ｍのイベントデータを読出して、図示しないプリンタへ、最新の情報から遡るように、イベントデータを用紙に印刷する。この図示しないプリンタはデータを用紙に印刷して記録として利用する際に用いられるものであり、複合盤１０の設置の際、プリンタの要否が選択される。
【００７５】
そして、複合盤１０の接続端子Ｔに図示しないパソコンを接続することにより、イベントデータをデータとして取得することができる。
【００７６】
複合盤１０の接続端子Ｔに、ケーブルを介して図示しないパソコンを接続して、パソコンから監視制御部１１へイベントデータ要求信号を送出する。この信号を受信した監視制御部１１は、記憶部Ｍからイベントデータを読み出して図示しないパソコンに、接続端子Ｔを介して送信する。イベントデータを図示しないパソコンに取り込んだ後は、図示しないパソコン画面に表示して確認したり、データとして各種記録メディアに保存することが可能である。そして、不要となったイベントデータについて、図示しないパソコンから消去信号を送信し、信号を受信した監視制御部１１が記憶部Ｍからイベントデータを消去する。これにより、記憶部Ｍでのデータ保存のための負荷を軽減することができる。
【００７７】
また、イベントデータを複合盤１０の記憶部Ｍのみで管理しようとすると、容量的に限界があるが、定期的に図示しないパソコンにイベントデータを取り込み順次保存して行くことにより、イベントデータの記録を長期にわたって保存することが可能となる。
【００７８】
ここで、図示しないパソコンが複合盤１０の監視制御部１１から取り込めるデータとしては記憶部Ｍのイベントデータのみでなく、設定部Ｄの端末データおよび設定データも取り込める。
【００７９】
そして、図示しないパソコンに設定データを表示して、このデータを更新して逆にパソコンから監視制御部１１に送信し、設定部Ｄのデータを更新することができる。図示しないパソコンから更新された設定データを書込信号とともに送信すると、その信号を受信した監視制御部１１は、設定部Ｄの設定データを新たに取得した更新された設定データによって書き換える。なお、端末データについても、設定データと同様に扱えることはもちろんである。
【００８０】
また、複合盤１０の記憶部Ｍに、所定の領域を確保して、監視制御の結果についての項目を記憶するのではなく、伝送線Ｌ１において送受信された伝送信号を所定数確保するようにしてもよい。この実施の形態のシステムは、複合盤１０を中心に、各住宅情報盤３０等を端末として伝送信号を送受信するので、共通の伝送線Ｌ１に載せられる伝送信号全てが監視制御部１１において把握できる。そして、制御結果にかかわらず実際の伝送信号を記憶しておくことにより、不具合発生時の伝送信号の内容が把握でき、データ設定事項にミスがある場合などの解決の手助けとなる。
【００８１】
このような伝送信号のデータについても、接続端子Ｔを介してパソコンと監視制御部１１との間でデータ通信して取込み、制御結果とは別に、データとして利用することができる。
【００８２】
上記実施の形態において、複合盤１０の監視制御部１１は、制御手段の一例であり、記憶部Ｍおよび設定部Ｄは、記憶手段の一例である。さらに、複合盤１０において、表示部１２の図示しないＬＣＤ等の表示器は、表示手段の一例であり、図示しないプリンタは、印刷手段の一例であり、また、図示しないパソコンが接続される接続端子Ｔは、出力手段の一例である。なお、本発明の複合盤は、必ずしも実施の形態における複合盤１０の機能を全て備えている必要はなく、例えばモニタ機能は必須でなく、操作制御盤として従来の管理室機および伝送制御の機能を備えていればよい。
【００８３】
以上のように、本発明は、少なくとも複合盤と複数の住宅情報盤とを有する共同住宅警報監視システムにおいて、前記複合盤は、システム全体の状態を監視制御する制御手段と、該制御手段の制御結果を記憶する記憶手段と、を備えているので、不具合の調査時などに中心となる機器がわかりやすく、システムの制御結果の利用を簡便とすることが可能である。
【００８４】
そして、複合盤は、記憶手段に記憶された制御結果を、データとして出力する出力手段、盤面の画面に表示する表示手段および印刷出力する印刷手段のいずれか１以上を備えることによって制御結果の利用が可能とされ、また、制御手段の制御結果は、セキュリティ監視機能に関する信号の送受信と、盤面での操作入力とを含み、異常の発生およびその対応についての情報を確認できる。
【００８５】
さらに、記憶手段には、共同住宅警報監視システムの設備情報および運用設定に関する情報が記憶され、これらの確認が同時に行えることで情報の利用が促進される。
【図面の簡単な説明】
【図１】本発明の実施の形態の一例を示すシステム系統図。
【図２】図１の複合盤を示すブロック構成図。
【図３】図１の住宅情報盤を示すブロック構成図。
【図４】図１の複合盤の動作を示すフローチャート。
【図５】図１の住宅情報盤の動作を示すフローチャート。
【符号の説明】
１０    複合盤
１１    監視制御部
１２    表示部
１３    操作部
３０    住宅情報盤
Ｄ    設定部
Ｍ    記憶部
Ｔ    接続端子
【図１】
2004171384.tif 000003
【図２】
2004171384.tif 000004
【図３】
2004171384.tif 000005
【図４】
2004171384.tif 000006
【図５】
2004171384.tif 000007